(57)【要約】【課題】製品品質と製造効率を向上させることができるスイッチ装置及び該スイッチ装置を備える電子機器を提供する。【解決手段】電子機器１２は、ベース部２２の上面側で回動可能に支持された押しボタン２４と、押しボタン２４が押下操作されて回動した場合に押圧される検出スイッチ４１とを備える。押しボタン２４及びベース部２２のいずれか一方には、係合片３２ａと、弾性片３４とが設けられ、押しボタン２４及びベース部２２のいずれか他方には、係合片３２ａが回転可能に係合する回転軸３６と、弾性片３４が押し当てられる支持軸３８とが設けられ、押しボタン２４は、弾性片３４が支持軸３８に押し当てられた状態で係合片３２ａと回転軸３６との係合部を回動中心として回動し、検出スイッチ４１を押圧する。【選択図】図３
2018060664.tif 000002
【特許請求の範囲】
【請求項１】
ベース部の上面側で回動可能に支持された押しボタンと、該押しボタンが押下操作されて回動した場合に押圧される検出スイッチとを備えるスイッチ装置であって、
前記押しボタン及び前記ベース部のいずれか一方には、係合片と、弾性片とが設けられ、
前記押しボタン及び前記ベース部のいずれか他方には、前記係合片が回転可能に係合する回転軸と、前記弾性片が押し当てられる支持軸とが設けられ、
前記押しボタンは、前記弾性片が前記支持軸に押し当てられた状態で前記係合片と前記回転軸との係合部を回動中心として回動し、前記検出スイッチを押圧することを特徴とするスイッチ装置。
【請求項２】
請求項１記載のスイッチ装置において、
前記支持軸は、前記回転軸に対して該回転軸の軸方向と直交する方向にオフセットした位置に配置されていることを特徴とするスイッチ装置。
【請求項３】
請求項２記載のスイッチ装置において、
前記押しボタンは、その一縁側で前記係合片と前記回転軸が係合しており、
前記支持軸は、前記回転軸よりも前記一縁側とは反対側の他縁側にオフセットした位置に配置されていることを特徴とするスイッチ装置。
【請求項４】
請求項１〜３のいずれか１項に記載のスイッチ装置において、
前記回転軸は軸方向に並んで一対設けられ、前記一対の回転軸の間に前記支持軸が設けられていることを特徴とするスイッチ装置。
【請求項５】
請求項１〜４のいずれか１項に記載のスイッチ装置において、
前記係合片及び前記弾性片は、前記押しボタンに設けられ、
前記回転軸及び前記支持軸は、前記ベース部に設けられ、
前記回転軸は、前記係合片と前記押しボタンの下面との間に係合され、
前記支持軸は、前記弾性片と前記押しボタンの下面との間に挟み込まれていることを特徴とするスイッチ装置。
【請求項６】
請求項１〜５のいずれか１項に記載のスイッチ装置と、該スイッチ装置に対する押下操作に基づく表示を行うディスプレイ装置とを備えることを特徴とする電子機器。
【発明の詳細な説明】
【技術分野】
【０００１】
本発明は、押下操作を受け付ける押しボタンを備えたスイッチ装置及び該スイッチ装置を備える電子機器に関する。
【背景技術】
【０００２】
ノートブック型パーソナルコンピュータ（ノート型ＰＣ）等の電子機器では、タッチパッドやキーボード装置、ディスプレイ装置等を備えた筐体に押下操作を受け付ける押しボタンを設けた構成が用いられることがある。
【０００３】
例えば本出願人は特許文献１において、マウスの代替となるタッチパッド及びポインティングスティックを有する構成のノート型ＰＣを開示している。この構成では、タッチパッド及びポインティングスティックと併用されることでマウスの左ボタンや右ボタンに対応したクリック操作ボタン（マウスボタン）となる押しボタンをキーボード装置の手前側に設けている。
【先行技術文献】
【特許文献】
【０００４】
【特許文献１】特開２０１６−１４３３９２号公報
【発明の概要】
【発明が解決しようとする課題】
【０００５】
上記したような押しボタンを備えるスイッチ装置では、例えば押しボタンはその下面側のベース部によって回動可能に支持することで押下操作可能である。このような押しボタンの回動構造のヒンジとなる部分では、互いに連結される部品間の寸法交差の都合上、押しボタンのがたつきを完全に無くすことはできない。このため、押しボタンが、その操作時或いは非操作時にかかわらずにがたつきを生じ、製品品質の低下を招いている。
【０００６】
一方、部品間の寸法交差を極力少なくし、そのがたつきを低減するためには金型製造技術者の優れた技能が必要となる。このため、製品品質にばらつきを生じたり、押しボタンの組付不良や動作不良を生じたりする可能性もある。
【０００７】
本発明は、上記従来技術の課題を考慮してなされたものであり、製品品質と製造効率を向上させることができるスイッチ装置及び該スイッチ装置を備える電子機器を提供することを目的とする。
【課題を解決するための手段】
【０００８】
本発明に係るスイッチ装置は、ベース部の上面側で回動可能に支持された押しボタンと、該押しボタンが押下操作されて回動した場合に押圧される検出スイッチとを備えるスイッチ装置であって、前記押しボタン及び前記ベース部のいずれか一方には、係合片と、弾性片とが設けられ、前記押しボタン及び前記ベース部のいずれか他方には、前記係合片が回転可能に係合する回転軸と、前記弾性片が押し当てられる支持軸とが設けられ、前記押しボタンは、前記弾性片が前記支持軸に押し当てられた状態で前記係合片と前記回転軸との係合部を回動中心として回動し、前記検出スイッチを押圧することを特徴とする。
【０００９】
このような構成によれば、支持軸に対して弾性片が押し当てられるため、押しボタンの回動軸を構成する係合片と回転軸との間のがたつきを吸収できる。その結果、当該スイッチ装置は、その使用時又は非使用時にかかわらず押しボタンが前後左右上下にがたつきを生じることが防止され、その製品品質が向上する。さらに当該スイッチ装置は、係合片と回転軸との間の係合部に関する寸法公差に、ある程度余裕を持たせることができる。このため、当該スイッチ装置は、例えば金型製造時に特別な技能等が不要となり、また押しボタンのベース部への組付作業も容易となって製造効率が向上する。
【００１０】
前記支持軸は、前記回転軸に対して該回転軸の軸方向と直交する方向にオフセットした位置に配置された構成であってもよい。そうすると、弾性片は、その付勢力と逆方向の反発力を支持軸から受け、押しボタンが所定の回動方向に回転するモーメント力を受ける。その結果、押しボタンの上下方向のがたつきを一層確実に吸収できる。
【００１１】
前記押しボタンは、その一縁側で前記係合片と前記回転軸が係合しており、前記支持軸は、前記回転軸よりも前記一縁側とは反対側の他縁側にオフセットした位置に配置された構成であってもよい。そうすると、弾性片が支持軸から受ける反発力により、押しボタンは係合片側とは反対側の前縁側が押下方向となる下方に多少回転した姿勢に常時設定される。これにより、押しボタンの上下方向のがたつきを一層確実に吸収できる。
【００１２】
前記回転軸は軸方向に並んで一対設けられ、前記一対の回転軸の間に前記支持軸が設けられた構成であってもよい。そうすると、回転軸と支持軸との軸方向でのバランスがよく、押しボタンのがたつきや脱落を防止できる。
【００１３】
前記係合片及び前記弾性片は、前記押しボタンに設けられ、前記回転軸及び前記支持軸は、前記ベース部に設けられ、前記回転軸は、前記係合片と前記押しボタンの下面との間に係合され、前記支持軸は、前記弾性片と前記押しボタンの下面との間に挟み込まれた構成であってもよい。そうすると、押しボタンの回動機構を簡素に構成でき、装置全体としての薄型化も可能となる。
【００１４】
本発明に係る電子機器は、上記構成のスイッチ装置と、該スイッチ装置に対する入力操作に基づく表示を行うディスプレイ装置とを備えることを特徴とする。従って、当該電子機器は例えばノート型ＰＣとして好適に使用できる。
【発明の効果】
【００１５】
本発明によれば、押しボタンが前後左右上下にがたつきを生じることが防止され、その製品品質が向上すると共に、製造効率も向上する。
【図面の簡単な説明】
【００１６】
【図１】図１は、本発明の一実施形態に係るスイッチ装置を備える電子機器の斜視図である。
【図２】図２は、スイッチ装置及びキーボード装置の平面図である。
【図３】図３は、スイッチ装置の分解斜視図である。
【図４Ａ】図４Ａは、左側の押しボタンを下面側から見た斜視図である。
【図４Ｂ】図４Ｂは、図４Ａに示す押しボタンを異なる角度から見た斜視図である。
【図５】図５は、押しボタンの係合軸部を拡大した図である。
【図６】図６は、ベース部の回転軸及び支持軸の周辺を拡大した図である。
【図７Ａ】図７Ａは、押しボタンをベース部に対して取り付けた状態での図６中のＶＩＩＡ−ＶＩＩＡ線に沿う断面図である。
【図７Ｂ】図７Ｂは、押しボタンをベース部に対して取り付けた状態での図６中のＶＩＩＢ−ＶＩＩＢ線に沿う断面図である。
【発明を実施するための形態】
【００１７】
以下、本発明に係るスイッチ装置について、このスイッチ装置を備える電子機器との関係で好適な実施の形態を挙げ、添付の図面を参照しながら詳細に説明する。
【００１８】
図１は、本発明の一実施形態に係るスイッチ装置１０を備える電子機器１２の斜視図である。以下では、スイッチ装置１０について図１に示す電子機器１２に搭載された状態での使用形態を基準とし、手前側を前側（前方）、奥側を後側（後方）、厚み方向を上下方向、幅方向を左右方向と呼んで説明する。
【００１９】
図１に示すように、電子機器１２は、スイッチ装置１０及びキーボード装置１６を有する本体筐体１４と、液晶ディスプレイ等のディスプレイ装置１８ａを有するディスプレイ筐体１８とを備えたノート型ＰＣである。ディスプレイ筐体１８は、左右一対のヒンジ１９，１９により本体筐体１４に対して開閉可能に連結されている。
【００２０】
本体筐体１４の内部には、図示しない基板、演算処理装置、ハードディスク装置、メモリ等の各種電子部品が収納されている。スイッチ装置１０及びキーボード装置１６は、本体筐体１４の上面上で前後に並んでいる。スイッチ装置１０の前側にはタッチパッド装置２０が設けられている。キーボード装置１６の略中央にはポインティングスティック２１が設けられている。
【００２１】
タッチパッド装置２０及びポインティングスティック２１はディスプレイ装置１８ａに表示されるカーソル（マウスポインタ）を操作するためのものであり、マウスの代わりとして操作可能な入力手段である。タッチパッド装置２０は、指先等の接近又は接触によるタッチ操作と、押下操作（クリック操作）とが可能なクリックパッドとして構成されている。
【００２２】
次に、スイッチ装置１０の構成例について説明する。
【００２３】
図２は、スイッチ装置１０及びキーボード装置１６の平面図である。図３は、スイッチ装置１０の分解斜視図である。
【００２４】
図２及び図３に示すように、本実施形態のスイッチ装置１０は、キーボード装置１６と一体的に設けられ、その前縁部略中央から突出するように配置されている。スイッチ装置１０は、ベース部２２の上面側で回動可能に支持された３個の押しボタン２４，２５，２６を備える。
【００２５】
ベース部２２は、スイッチ装置１０の底板となるプレート状部材である。ベース部２２は、金属薄板で形成されたベースプレート２２ａと、樹脂薄板で形成され、ベースプレート２２ａの上面に取付固定されたハウジングプレート２２ｂとを有する。本実施形態の場合、ベースプレート２２ａは、キーボード装置１６のベースプレート２８と一体構造である。つまり、１枚のベースプレートの一部がキーボード装置１６のベースプレート２８として使用され、残部がスイッチ装置１０のベースプレート２２ａとして使用されている。スイッチ装置１０のベースプレート２２ａは、キーボード装置１６のベースプレート２８と別体に構成されてもよい。
【００２６】
押しボタン２４〜２６は、タッチパッド装置２０又はポインティングスティック２１によるカーソル操作と連係して機能するものである。押しボタン２４〜２６は、それぞれ一般的なマウスでの左ボタン、中央ボタン、右ボタンに対応するクリック操作ボタンである。すなわち、スイッチ装置１０は、ディスプレイ装置１８ａに表示されるカーソルを操作するための入力手段である。
【００２７】
図４Ａは、左側の押しボタン２４を下面側から見た斜視図である。図４Ｂは、図４Ａに示す押しボタン２４を異なる角度から見た斜視図である。
【００２８】
図３〜図４Ｂに示すように、左側の押しボタン２４は、押下操作を受け付ける操作板部３０と、操作板部３０の下面に左右で２組設けられた係合軸部３１とを有する。各係合軸部３１は、左右一対の係合片３２ａ，３２ｂと、弾性片３４とを有する。操作板部３０の下面には、さらにストッパ部３５が左右一対設けられている。各係合片３２ａ，３２ｂ及び弾性片３４は、操作板部３０の下面後端側で左右に並んで設けられている。
【００２９】
操作板部３０は、平面視略長方形状に形成された樹脂製のプレート状部材である。操作板部３０は、その上面が押しボタン２４の操作面となる。操作板部３０は、タッチパッド装置２０やポインティングスティック２１を操作しながら押下操作することができる。
【００３０】
図５は、押しボタン２４の係合軸部３１を拡大した図であり、係合片３２ａ，３２ｂ及び弾性片３４を基端部で操作板部３０から切断した状態を示す図である。なお、押しボタン２４に設けられた２組の係合軸部３１は、左右対称構造であって実質的に同一構造となっている。
【００３１】
図３〜図５に示すように、一対の係合片３２ａ，３２ｂは、操作板部３０の下面で左右に並んでいる。各係合片３２ａ，３２ｂは、操作板部３０の下面から下方に垂下された後、操作板部３０の下面に沿って後方に突出したフック状部材である。各係合片３２ａ，３２ｂは、操作板部３０の下面に沿って後方に突出した爪状部３２ｃの上面と操作板部３０の下面との間でベース部２２に設けられた回転軸３６（図３参照）に回転可能に係合する（図７Ａも参照）。これにより、各係合片３２ａ，３２ｂは、押しボタン２４をその後端側を片持ち支持して回動（上下動）させるヒンジとなる。
【００３２】
弾性片３４は、一対の係合片３２ａ，３２ｂの間となる位置に設けられている。弾性片３４は、操作板部３０の下面から下方に垂下された後、操作板部３０の下面に沿って係合片３２ａ，３２ｂよりも大きく後方に突出している。弾性片３４は、操作板部３０の下面に沿って後方に突出した部分が上下方向に弾性変形可能な板ばね部３４ａとなる。弾性片３４は、基端部が係合片３２ａ，３２ｂの基端部よりも前側となる位置で操作板部３０の下面に設けられ、板ばね部３４ａの先端部が係合片３２ａ，３２ｂの先端部と略同位置に揃っている。弾性片３４は、板ばね部３４ａの上面と操作板部３０の下面との間でベース部２２に設けられた支持軸（テンション軸）３８（図３参照）を挟持する（図７Ｂも参照）。
【００３３】
各ストッパ部３５は、操作板部３０の下面の前端側で左右に離間した位置に設けられている。各ストッパ部３５は、操作板部３０の下面から下方に垂下された後、操作板部３０の下面に沿って後方に突出したフック状部材である。各ストッパ部３５は、ベース部２２に設けられた係止部３９（図３参照）に係止され、押しボタン２４の上昇限度を規定すると同時に上方への抜け止めとしても機能する。
【００３４】
図４Ａ及び図４Ｂに示すように、操作板部３０の下面の後端側略中央には、押圧突起４０が突設されている。押圧突起４０は、ベース部２２に設けられるメタルドームスイッチで構成された検出スイッチ４１（図３参照）の接点を押圧し、押しボタン２４の押下操作を検出するための突起である。検出スイッチ４１は、ハウジングプレート２２ｂに形成された孔部４２に配置される。検出スイッチ４１は、メンブレンシートの接点で構成されてもよい。
【００３５】
なお、右側の押しボタン２６は左側の押しボタン２４と左右対称構造であって実質的に同一構造である。そこで、この押しボタン２６についての詳細な説明は省略する。
【００３６】
本実施形態の場合、中央の押しボタン２５は、その形状や大きさが押しボタン２４，２６と異なる。押しボタン２５は、その前端側がベース部２２の前端側に左右一対設けられた係合フック４４に回転可能に係合する。押しボタン２５は、その後端側がベース部２２の後端側に左右一対設けられた係止部４５に上下動可能に係止される。これにより押しボタン２５は、押下操作されることで前端側を回動中心として回動（上下動）可能である。この押しボタン２５の押下操作は、ハウジングプレート２２ｂの孔部４２に配置されたメタルドームスイッチ等の検出スイッチ４１によって検出される。押しボタン２５は、押しボタン２４，２６と同様な構成であってもよい。
【００３７】
図６は、ベース部２２の回転軸３６及び支持軸３８の周辺を拡大した図である。
【００３８】
図３及び図６に示すように、ベース部２２のハウジングプレート２２ｂの後端部には、左右に並んで４組の軸受部４７が設けられている。ハウジングプレート２２ｂの左側で左右に並んだ２組の軸受部４７は、左側の押しボタン２４の取付部となる。ハウジングプレート２２ｂの右側で左右に並んだ２組の軸受部４７は、右側の押しボタン２６の取付部となる。各軸受部４７は、左右一対の回転軸３６，３６と、支持軸３８とを有する。
【００３９】
一対の回転軸３６，３６は、ハウジングプレート２２ｂの後端側に開口した孔部４８の後側内壁面で前方を向いた半円柱状に構成されている。各回転軸３６は同軸上に配置されている。各回転軸３６には、押しボタン２４，２６の係合片３２ａ，３２ｂが回転可能に係合する。
【００４０】
支持軸３８は、一対の回転軸３６，３６の間となる位置に設けられている。支持軸３８は、孔部４８の後側内壁面で前方を向いた半楕円柱状に構成されている。支持軸３８は、その外周面が回転軸３６に対して該回転軸３６の軸方向である左右方向と直交する前方にオフセットした位置に配置されている。換言すれば、支持軸３８は、その焦点又は中心軸が回転軸３６の中心軸に対して前側に位置ずれしている。支持軸３８には、押しボタン２４，２６の弾性片３４が押し当てられる。支持軸３８は、回転軸３６に対して同軸配置され、或いは同軸且つ同径に構成されてもよい。
【００４１】
次に、押しボタン２４，２６の係合軸部３１とベース部２２の軸受部４７の係合構造及び押しボタン２４，２６が押下操作された際の動作を説明する。
【００４２】
図７Ａは、押しボタン２４（２６）をベース部２２に対して取り付けた状態での図６中のＶＩＩＡ−ＶＩＩＡ線に沿う断面図であり、係合片３２ａ（３２ｂ）と回転軸３６の係合部を前後方向に沿って切断した図である。図７Ｂは、押しボタン２４（２６）をベース部２２に対して取り付けた状態での図６中のＶＩＩＢ−ＶＩＩＢ線に沿う断面図であり、弾性片３４と支持軸３８の当接部分を前後方向に沿って切断した図である。
【００４３】
図７Ａに示すように、係合片３２ａ（３２ｂ）は、回転軸３６に回転可能に係合する。具体的には、係合片３２ａ（３２ｂ）は、爪状部３２ｃの上面と操作板部３０の下面との間で回転軸３６に係合する。係合片３２ａ（３２ｂ）と回転軸３６との係合部が押しボタン２４（２６）の回動軸となる。
【００４４】
図７Ｂに示すように、弾性片３４は、支持軸３８に押し当てられる。具体的には、弾性片３４は、板ばね部３４ａの上面と操作板部３０の下面との間で支持軸３８を挟持する。これにより、板ばね部３４ａの上面が支持軸３８の外周面を上方に向かって付勢する。支持軸３８は、回転軸３６よりも前方にオフセットした位置に配置されてる。このため、弾性片３４の板ばね部３４ａによる支持軸３８の押圧位置Ｐは、回転軸３６の軸中心Ｃよりも前側に位置している。
【００４５】
従って、押しボタン２４（２６）は、操作板部３０が押下操作されることで後端側の係合片３２ａ，３２ｂと回転軸３６の係合部を回動中心として前端側が回動する。その結果、押圧突起４０が検出スイッチ４１を押圧し、押しボタン２４（２６）の押下操作が検出される。この際、弾性片３４はその板ばね部３４ａの上面が支持軸３８に弾性的に押し当てられた状態にあり、押しボタン２４（２６）の回動動作を邪魔しない。
【００４６】
ところで、係合片３２ａ，３２ｂは、押しボタン２４（２６）の円滑な回動動作を確保した状態で回転軸３６に係合される必要がある。すなわち、係合片３２ａ（３２ｂ）の上面及び操作板部３０の下面と回転軸３６の外周面との間は、ある程度の寸法公差に基づく僅かな隙間（がたつき）を介して係合される。その結果、係合片３２ａ，３２ｂの回転軸３６に対する係合構造だけでは、押しボタン２４（２６）が使用時又は非使用時にかかわらず前後左右上下にがたつきを生じる懸念がある。
【００４７】
そこで、当該スイッチ装置１０は、支持軸３８に対して弾性的に押し当てられる弾性片３４を備え、係合片３２ａ，３２ｂと回転軸３６との間のがたつきを吸収可能である。その結果、当該スイッチ装置１０は、その使用時又は非使用時にかかわらず押しボタン２４（２６）が前後左右上下にがたつきを生じることが防止され、その製品品質が向上する。さらに当該スイッチ装置１０は、係合片３２ａ，３２ｂと回転軸３６との間の係合部に関する寸法公差に、ある程度余裕を持たせることができる。このため、当該スイッチ装置１０は、例えば金型製造時に特別な技能等が不要となり、また押しボタン２４（２６）のベース部２２への組付作業も容易となって製造効率が向上する。
【００４８】
当該スイッチ装置１０では、検出スイッチ４１がメタルドームスイッチで構成されている。すなわち、メタルドームスイッチは一般的なラバードーム等に比べて硬く、剛性が高い。このため、係合片３２ａ，３２ｂと回転軸３６との間に上記したがたつきを確保しておかないと、検出スイッチ４１が邪魔して押しボタン２４（２６）をベース部２２に円滑に取り付けることができない場合もある。この点、当該スイッチ装置１０は、弾性片３４と支持軸３８を備えたことで、係合片３２ａ，３２ｂと回転軸３６との間にある程度のがたつきを確保できる。その結果、検出スイッチ４１にメタルドームスイッチを用いた場合であってもその製造効率が低下することを回避できる。
【００４９】
当該スイッチ装置１０では、支持軸３８は、回転軸３６に対して該回転軸３６の軸方向と直交する方向にオフセットした位置に配置されている。本実施形態の場合、押しボタン２４（２６）は、その一縁側となる後縁側で係合片３２ａ，３２ｂと回転軸３６が係合しており、支持軸３８は回転軸３６よりも他縁側となる前縁側にオフセットした位置に配置されている。このため、弾性片３４は、その付勢力と逆方向の反発力Ｆ（図７Ｂ参照）を支持軸３８から受け、押しボタン２４（２６）が図７Ｂ中で時計方向に回転するモーメント力を受ける。その結果、押しボタン２４（２６）は、係合片３２ａ，３２ｂ側とは反対側の前縁側が押下方向となる下方に多少回転した姿勢に常時設定される。これにより、押しボタン２４（２６）の上下方向のがたつきを一層確実に吸収できる。
【００５０】
なお、支持軸３８は回転軸３６よりも後縁側にオフセットした位置に配置されていてもよい。この場合には、例えば弾性片３４の板ばね部３４ａの下面を支持軸３８に対して上方から付勢させるとよい。そうすると、押しボタン２４（２６）の前縁側を押下方向となる下方に多少回転した姿勢に常時設定できる。
【００５１】
当該スイッチ装置１０では、回転軸３６は軸方向に並んで一対設けられ、一対の回転軸３６，３６の間に支持軸３８を設けている。すなわち、仮に１組の係合軸部３１と軸受部４７との間で、例えば係合片３２ａ，３２ｂとこれに対応する回転軸３６を省略した場合を考える。この場合は、１つの係合片３２ａ及び回転軸３６と、弾性片３４及び支持軸３８とが左右に並んだ状態となる。この際、弾性片３４は係合片３２ａよりも当然剛性が低いために左右のバランスが低下し、使用条件によっては弾性片３４が支持軸３８から脱落して押しボタン２４（２６）が脱落する懸念もある。この点、回転軸３６を軸方向に並んで一対設け、その間に支持軸３８を配置することで、このような問題の発生を防止できる。勿論、係合片３２ａの形状や剛性、さらにスイッチ装置１０の仕様等によっては一方の係合片３２ｂ及び回転軸３６を省略してもよい。
【００５２】
当該スイッチ装置１０では、係合片３２ａ，３２ｂ及び弾性片３４を押しボタン２４（２６）に設け、回転軸３６及び支持軸３８をベース部２２に設けている。そして、回転軸３６は係合片３２ａ，３２ｂと押しボタン２４（２６）の下面との間に係合され、支持軸３８は弾性片３４と押しボタン２４（２６）の下面との間に挟み込まれる構成としている。このため、押しボタン２４（２６）の回動機構を簡素に構成でき、装置全体としての薄型化も可能となる。
【００５３】
なお、本発明は、上記した実施形態に限定されるものではなく、本発明の主旨を逸脱しない範囲で自由に変更できることは勿論である。
【００５４】
上記では、スイッチ装置１０をキーボード装置１６に一体的に設けた構成を例示したが、スイッチ装置１０はキーボード装置１６と別体に構成されても勿論よい。スイッチ装置１０はタッチパッド装置２０と一体的に構成されてもよい。スイッチ装置１０は、キーボード装置１６やタッチパッド装置２０とは無関係に電子機器に搭載されたものであってもよい。
【００５５】
上記では、係合片３２ａ，３２ｂ及び弾性片３４を押しボタン２４（２６）に設け、回転軸３６及び支持軸３８をベース部２２に設けた構成を例示した。しかしながら、係合片３２ａ，３２ｂ及び弾性片３４をベース部２２にもうけ、回転軸３６及び支持軸３８を押しボタン２４（２６）に設けてもよい。さらには、係合片３２ａ，３２ｂ及び支持軸３８を押しボタン２４（２６）に設け、弾性片３４及び回転軸３６をベース部２２に設けた構成等としてもよい。
【符号の説明】
【００５６】
１０  スイッチ装置
１２  電子機器
１４  本体筐体
１６  キーボード装置
１８  ディスプレイ筐体
１８ａ  ディスプレイ装置
２０  タッチパッド装置
２１  ポインティングスティック
２２  ベース部
２２ａ，２８  ベースプレート
２２ｂ  ハウジングプレート
２４〜２６  押しボタン
３０  操作板部
３１  係合軸部
３２ａ，３２ｂ  係合片
３２ｃ  爪状部
３４  弾性片
３４ａ  板ばね部
３５  ストッパ部
３６  回転軸
３８  支持軸
３９  係止部
４０  押圧突起
４１  検出スイッチ
４７  軸受部
【図１】
2018060664.tif 000003
【図２】
2018060664.tif 000004
【図３】
2018060664.tif 000005
【図４Ａ】
2018060664.tif 000006
【図４Ｂ】
2018060664.tif 000007
【図５】
2018060664.tif 000008
【図６】
2018060664.tif 000009
【図７Ａ】
2018060664.tif 000010
【図７Ｂ】
2018060664.tif 000011
【手続補正書】
【提出日】平成29年12月1日(2017.12.1)
【手続補正１】
【補正対象書類名】特許請求の範囲
【補正対象項目名】全文
【補正方法】変更
【補正の内容】
【特許請求の範囲】
【請求項１】
ベース部の上面側で回動可能に支持された押しボタンと、該押しボタンが押下操作されて回動した場合に押圧される検出スイッチとを備えるスイッチ装置であって、
前記押しボタン及び前記ベース部のいずれか一方には、係合片と、弾性片とが設けられ、
前記押しボタン及び前記ベース部のいずれか他方には、前記係合片が回転可能に係合する回転軸と、前記弾性片が押し当てられる支持軸とが設けられ、
前記押しボタンは、前記弾性片が前記支持軸に押し当てられた状態で前記係合片と前記回転軸との係合部を回動中心として回動し、前記検出スイッチを押圧するものであり、
前記押しボタンは、その一縁側で前記係合片と前記回転軸が係合しており、
前記支持軸は、前記回転軸に対して該回転軸の軸方向と直交する方向であって、前記回転軸よりも前記一縁側とは反対側の他縁側にオフセットした位置、又は前記回転軸よりも前記一縁側にオフセットした位置に配置されていることを特徴とするスイッチ装置。
【請求項２】
ベース部の上面側で回動可能に支持された押しボタンと、該押しボタンが押下操作されて回動した場合に押圧される検出スイッチとを備えるスイッチ装置であって、
前記押しボタン及び前記ベース部のいずれか一方には、係合片と、弾性片とが設けられ、
前記押しボタン及び前記ベース部のいずれか他方には、前記係合片が回転可能に係合する回転軸と、前記弾性片が押し当てられる支持軸とが設けられ、
前記押しボタンは、前記弾性片が前記支持軸に押し当てられた状態で前記係合片と前記回転軸との係合部を回動中心として回動し、前記検出スイッチを押圧するものであり、
前記係合片及び前記弾性片は、前記押しボタンに設けられ、
前記回転軸及び前記支持軸は、前記ベース部に設けられ、
前記回転軸は、前記係合片と前記押しボタンの下面との間に係合され、
前記支持軸は、前記弾性片と前記押しボタンの下面との間に挟み込まれていることを特徴とするスイッチ装置。
【請求項３】
請求項１又は２に記載のスイッチ装置において、
前記回転軸は軸方向に並んで一対設けられ、前記一対の回転軸の間に前記支持軸が設けられていることを特徴とするスイッチ装置。
【請求項４】
請求項１〜３のいずれか１項に記載のスイッチ装置と、該スイッチ装置に対する押下操作に基づく表示を行うディスプレイ装置とを備えることを特徴とする電子機器。